(57)【要約】【課題】  受光素子上の光の反射により発生する迷光が、焦点検出結果に与える影響を軽減しながら、小型化を実現した焦点検出装置を提供すること。【解決手段】  撮像レンズを通過した光束を分割し、分割された光束により形成される複数の光学像の相対的な位置関係に応じて、焦点状態を検出する焦点検出装置であって、前記光束を受光し電気信号に変換する光電変換素子と、前記光電変換素子の表面上で、第１の反射率を有し、前記光束を受光する高反射率部と、前記光電変換素子の表面上で前記光学像の領域内に配され、前記第１の反射率より低い第２の反射率を有する低反射率部と、前記光束を透過し、前記光電変換素子と非平行に配置される光学部材とを有し、前記低反射率部で反射した迷光の少なくとも一部は、前記光学部材に反射した後、前記高反射率部に到達することを特徴とする構成とした。【選択図】  図８
2012242416.tif 000002
【特許請求の範囲】
【請求項１】
撮像レンズを通過した光束を分割し、分割された光束により形成される複数の光学像の相対的な位置関係に応じて、焦点状態を検出する焦点検出装置であって、
前記光束を受光し電気信号に変換する光電変換素子と
前記光電変換素子の表面上で、第１の反射率を有し、前記光束を受光する高反射率部と
前記光電変換素子の表面上で前記光学像の領域内に配され、前記第１の反射率より低い第２の反射率を有する低反射率部と
前記光束を透過し、前記光電変換素子と非平行に配置される光学部材とを有し、
前記低反射率部で反射した迷光の少なくとも一部は、前記光学部材に反射した後、前記高反射率部に到達することを特徴とする焦点検出装置。
【請求項２】
前記光束の分割は、前記光電変換素子上で各々が直交した第１、第２の方向に行われ、前記光学部材は、前記第１の方向、第２の方向いずれにも回転していることを特徴とする請求項１に記載の焦点検出装置。
【請求項３】
前記高反射率部と前記低反射率部は、前記光束の分割方向と直交方向に隣接して配置されていることを特徴とする請求項１に記載の焦点検出装置。
【発明の詳細な説明】
【技術分野】
【０００１】
本発明は、焦点検出装置に関する。
【背景技術】
【０００２】
デジタルカメラやビデオカメラに代表される撮像装置の普及に伴って、撮像装置には、高品位化及び小型化がますます要求されるようになってきている。特に、撮像装置の撮像レンズ（撮像光学系）の焦点状態を検出する焦点検出装置の高精度化及び小型化が望まれている。近年では、撮像レンズの瞳を複数の領域に分割し、各領域を通過した光束が形成する複数の光学像の相対的な位置関係から撮像レンズの焦点状態を検出するＴＴＬ位相差方式を利用した焦点検出装置が主流となってきている。
【０００３】
例えば、特許文献１では、焦点検出装置の高精度化を目的として、焦点検出装置内で発生する迷光の対策方法について開示されている。特許文献１で、対象としている焦点検出装置内の迷光は、受光素子表面で反射した光が、受光素子以前に配置されている平行平板に反射して、迷光として受光素子の受光部に、再度到達するというものである。このように発生する迷光を、平行平板を傾けて配置することにより、迷光が平行平板で反射された際の光路を制御し、受光素子に、迷光が到達しないように構成したものである。
【先行技術文献】
【特許文献】
【０００４】
【特許文献１】特公平７−１０４４７８号公報
【発明の概要】
【発明が解決しようとする課題】
【０００５】
しかしながら、上述の特許文献１に開示された従来技術では、後述のような課題がある。
【０００６】
近年の焦点検出装置は、高機能化に伴い、撮影範囲内における焦点検出範囲が、拡大している。特許文献１では、赤外カット機能を持たせた平行平板を、概ね撮影レンズの結像面に配置しているが、近年の焦点検出装置で同様の配置を行うと、焦点検出範囲の拡大により平行平板も大型化する必要がある。そのため、近年の焦点検出装置では、赤外カット機能を持たせた平行平板を、焦点検出装置の絞り開口の近傍に配置し、平行平板の小型化を実現している。このような平行平板の配置で、特許文献１に記載の技術を適用する場合、迷光の発生源である受光素子と平行平板の間隔が狭まっている。そのため、再度、受光素子に迷光が到達することを回避するためには、平行平板が撮影レンズの結像面に配置されていた場合に比べ、より大きく傾ける必要があり、焦点検出装置の大型化につながる。
【０００７】
一方で、焦点検出範囲の拡大により、受光素子上の受光部も範囲が拡大する傾向がある。そのため、受光素子に到達する光束の太さも太くなり、より多くの迷光が発生する。それのような状況で、特許文献１に記載の技術を適用する場合、より太い迷光の光束を、より広範囲の受光素子の受光範囲外に迷光を到達させるためには、より大きく平行平板を傾ける必要があり、焦点検出装置の大型化につながる。
【０００８】
また、近年の焦点検出装置では、クロス型の焦点検出領域を有するものがある。これは、互いに略直交した方向に２対の光学系を有し、縦方向、横方向の被写体のコントラストに対応して、焦点検出を行うものである。クロス型の焦点検出領域を有する焦点検出装置において、特許文献１に記載の技術を適用する場合には、２対の光学系それぞれで発生する迷光に対して、平行平板の反射光が、受光素子に到達しないように、平行平板の傾きを設定せねばならない。このことも、より大きく平行平板を傾ける必要性を生じさせ、焦点検出装置の大型化につながる。
【０００９】
そこで、本発明の目的は、受光素子上の光の反射により発生する迷光が、焦点検出結果に与える影響を軽減しながら、小型化を実現した焦点検出装置を提供することである。
【課題を解決するための手段】
【００１０】
上記目的を達成するために、本発明は、撮像レンズを通過した光束を分割し、分割された光束により形成される複数の光学像の相対的な位置関係に応じて、焦点状態を検出する焦点検出装置であって、前記光束を受光し電気信号に変換する光電変換素子と、前記光電変換素子の表面上で、第１の反射率を有し、前記光束を受光する高反射率部と、前記光電変換素子の表面上で前記光学像の領域内に配され、前記第１の反射率より低い第２の反射率を有する低反射率部と、前記光束を透過し、前記光電変換素子と非平行に配置される光学部材とを有し、前記低反射率部で反射した迷光の少なくとも一部は、前記光学部材に反射した後、前記高反射率部に到達することを特徴とする。
【発明の効果】
【００１１】
本発明によれば、焦点検出装置内で発生する迷光の影響を受けずに、高精度な焦点検出を可能にしながら、焦点検出装置の小型化を実現することができる。
【図面の簡単な説明】
【００１２】
【図１】本発明の焦点検出装置を内蔵した一眼レフカメラの中央断面図
【図２】本発明の焦点検出装置の斜視図
【図３】絞り２１３を視野マスク２１０側から見た平面図
【図４】２次結像レンズユニット２１４の入射面側、射出面側を見た平面図
【図５】受光素子２１６を視野マスク２１０側から見た平面図
【図６】受光素子２１６の各受光素子列を視野マスク２１０上に逆投影した図
【図７】本発明の受光素子２１６で発生した迷光の光路の例を示す図
【図８】受光素子２１６上で、受光素子列と迷光領域の位置関係を示す図
【発明を実施するための形態】
【００１３】
［実施例１］
以下、本発明の第1の実施例による、本発明の焦点検出装置を、レンズ交換可能な一眼レフタイプのデジタルカメラに適用した例について説明する。
【００１４】
図１は、本発明の焦点検出装置を内蔵した一眼レフカメラの中央断面図である。
【００１５】
図中、２００は一眼レフカメラ本体、２０１は撮影レンズで、Ｌは撮影レンズ２０１の光軸である。撮影レンズ２０１の予定結像面付近には、光学ローパスフィルタや赤外カットフィルタ、さらには撮像素子を含む撮像素子ユニット２０４が配置される。撮影レンズ２０１と撮像素子ユニット２０４には、周知のクイックリターン機構により撮影時には撮影光束外へ退避するメインミラー２０２とサブミラー２０３が配置される。メインミラー２０２はハーフミラーで、撮影光束は上方のファインダ光学系に導かれる反射光とサブミラー２０３に入射する透過光に分離される。反射光は、マット面とフレネル面を備えるピント板２０５のマット面上に結像し、ペンタプリズム２０６、接眼レンズ群２０７を介して観察者の目に導かれる。また、ピント板２０３で拡散した光の一部は測光レンズ２２０を透過し、測光センサ２２１に到達する。一方、透過光はサブミラー２０３により下方へ光路を変更し、焦点検出装置２０８に導かれる。
【００１６】
次に、図１で説明したカメラが有する焦点検出装置について説明する。図２は、本発明の焦点検出装置２０８の斜視図で、測距原理としては位相差方式焦点検出を用いている。なお、実際の焦点検出装置は反射ミラーなどにより光路を折りたたむことによりコンパクト化しているが、図の煩雑さをなくすためストレートに展開した図となっている。
【００１７】
２１０は視野マスクで、中央部に矩形上の開口部２１０ａを有している。この視野マスク２１０は、撮影レンズ２０１の予定結像面、撮像素子ユニット２０４の撮像面と等価な位置近傍に配置される。２１１はフィールドレンズで、視野マスク２１０の後方に配置している。このフィールドレンズ２１１は光学作用を有するレンズ部２１１ａを含み、レンズ部は撮影レンズの光軸Ｌと同じレンズ光軸を有している。また、レンズ部２１１ａは視野マスク２１０の開口部２１０ａと対応している。
【００１８】
２１２は焦点検出に不要な赤外波長成分を除去する赤外カットフィルタである。赤外カットフィルタ２１２は、請求項中の光学部材と対応する。２１３は、複数の開口部を有する絞りで、２１４は絞り２１３の複数の開口部に対応するレンズ部を備える２次結像レンズユニット（結像レンズユニット）である。この２次結像レンズユニット２１４は対物レンズ２０１によって結像された予定結像面上の物体像をその後方に配置された受光素子２１６の受光素子列上に再結像する。受光素子２１６は、請求項中の光電変換素子と対応する。焦点検出装置内に入り、受光素子に到達する光束は、絞り２１３近傍で最も細くなる。そのため、赤外カットフィルタ２１２は、絞り近傍に配置することによって、必要な面積を最小化することができ、小型化、低コスト化を実現することができる。
【００１９】
図３〜図５は、図２における斜視図中の各部材の平面図で、図３は絞り２１３を視野マスク２１０側から見た平面図、図４（Ａ）は２次結像レンズユニット２１４の光学有効部の入射面側を見た平面図、図４（Ｂ）は２次結像レンズユニット２１４の光学有効部の射出面側を見た平面図、図５は受光素子２１６を視野マスク２１０側から見た平面図それぞれ示している。
【００２０】
図３において、絞り２１３は中央部に２組の対の開口部２１３ａ−１と２１３ａ−２、２１３ａ−３と２１３ａ−４を有する。
【００２１】
図４（Ａ）において、２次結像レンズユニット２１４の入射面側には図３の絞り開口部に対応するプリズム部が形成されている。したがって、絞り２１３と同様に、中央部には２組の対のプリズム部２１４ａ−１と２１４ａ−２、２１４ａ−３と２１４ａ−４が形成される。
【００２２】
図４（Ｂ）において、２次結像レンズユニット２１３の射出面側には図４（Ａ）のプリズム部に対応して球面からなるレンズ部が形成されている。同様に、中央部には２組の対のレンズ部２１５ａ−１と２１５ａ−２、２１５ａ−３と２１５ａ−４が形成される。
【００２３】
図５において、受光素子２１６には図４（Ｂ）のレンズ部に対応した受光素子列が形成されている。中央部には２組の対の受光素子列群２１６ａｖ１と２１６ａｖ２、２１６ａｈ１と２１６ａｈ２が形成される。受光素子列群２１６ａは、受光素子列群２１６ａｖ１、２１６ａｖ２、２１６ａｈ１、２１６ａｈ２を総括するものとする。図５（Ａ）において、２１７ａｖ１、２１７ａｖ２、２１７ａｈ１、２１７ａｈ２は、視野マスク２１０の開口２１０ａによって形成される光学像である。絞り２１３の開口部２１３ａ−１と２１３ａ−２によって、光学像２１７ａｖ１と２１７ａｖ２が形成され、開口部２１３ａ−３と２１３ａ−４によって、光学像２１７ａｈ１と２１７ａｈ２が形成される。光学像２１７ａは、光学像２１７ａｖ１、２１７ａｖ２、２１７ａｈ１、２１７ａｈ２を、総括するものとする。
【００２４】
光学像２１７ａｖ１、２１７ａｖ２の内側には、受光素子列群２１６ａｖ１、２１６ａｖ２の少なくとも一部が配され、光学像２１７ａｈ１、２１７ａｈ２の内側には、受光素子列群２１６ａｈ１、２１６ａｈ２の少なくとも一部が配される。受光素子列群２１６ａｖ１、２１６ａｖ２は、３対の受光素子列から構成されており、受光素子列群２１６ａｈ１、２１６ａｈ２も、３対の受光素子列から構成されている。これらの受光素子列群の詳細を、図５（Ｂ）に示す。図５（Ｂ）では、わかりやすさのために、受光素子列を模式的にデフォルメして示している。受光素子列群２１６ａｖ１は、受光素子列２１６ａｖ１−１〜２１６ａｖ１−３で構成され、受光素子列群２１６ａｖ２は、受光素子列２１６ａｖ２−１〜２１６ａｖ２−３で構成される。同様に、受光素子列群２１６ａｈ１は、受光素子列２１６ａｈ１−１〜２１６ａｈ１−３で構成され、受光素子列群２１６ａｈ２は、受光素子列２１６ａｈ２−１〜２１６ａｈ２−３で構成される。各々の受光素子列は、複数の画素により構成され、各画素の出力を信号として取り出すことにより、光学像を電気信号として取り出すことができる。
【００２５】
また、受光素子２１６の表面上で、受光素子列以外の範囲は、光の反射を抑制するためにカラーフィルタを備えている。カラーフィルタ部２１８は、図５（Ｂ）で、斜線部であらわされている。光学像２１７ａは、受光素子列群２１６ａとカラーフィルタ部２１８の両方に形成されるため、受光素子列群とカラーフィルタ部それぞれで、光が反射し焦点検出結果に影響を与える迷光の発生起点となる。本実施例では、受光素子列２１６ａに比べ、カラーフィルタ部２１７ａは、受光素子列２１６ａが感度を有する波長領域で、低反射率で構成している。受光素子列群２１６ａは、請求項中の高反射率部と対応する。また、カラーフィルタ部２１８は、請求項中の低反射率部と対応する。
【００２６】
以上説明したような構成の焦点検出装置において、撮影レンズ２０１の予定結像面に対するデフォーカスに伴い、対の光学像が互いに近づくかあるいは遠ざかる方向に移動する。
【００２７】
例えば、対の光学像２１７ａｖ１と２１７ａｖ２内部の光学像は上下方向に移動し、図５に示すように受光素子列を上下方向に並べることによって、この移動を検出する。すなわち、この光学像に関する光量分布を受光素子列群２１６ａｖ１と２１６ａｖ２の出力に基づいて検出し、周知の相関演算手段を用いて演算することで、撮影レンズ２０１に伴う対の光学像間隔の合焦時に対する変化量を求める。
【００２８】
対の光学像間隔の変化量を知ることができれば、この変化量と撮影レンズ２０１のデフォーカス量の関係をあらかじめ変化量を変数とした多項式などで近似しておくことで、撮影レンズ２０１のデフォーカス量を予測することができ、撮影レンズ２０１の焦点検出を行うことが可能となる。なお、受光素子列群２１６ａｈ１と２１６ａｈ２の場合は、上記説明の上下方向が左右方向に変わるのみで、基本的な作用は同様である。
【００２９】
焦点検出装置内で、迷光が発生し、受光素子列に迷光が到達すると、受光素子で検出される対の光学像の信号に変化が生じる。一般に、迷光は、対の光学像に対して同じ位置に発生するとは限らず、対の光学像のそれぞれに異なる場所、異なる強度で発生する。そのため、対の光学像の信号に不一致が生じ、上述の光学像の間隔を算出する際に、誤差を生じる。その誤差が、迷光が焦点検出結果に影響を与える原因である。
【００３０】
対の受光素子列群２１６ａｖ１と２１６ａｖ２は上下方向に受光素子が並んでいるため上下方向にコントラスト成分を有する被写体の焦点検出に適し、一方、受光素子列群２１６ａｈ１と２１６ａｈ２は左右方向に受光素子が並んでいるため左右方向にコントラスト成分を有する被写体の焦点検出に適している。そして、両者を合わせると被写体のコントラスト成分方向に左右されない、いわゆるクロス型の焦点検出を行うこととなる。
【００３１】
図６は、受光素子２１６の各受光素子列を視野マスク２１０上に逆投影した図である。なお、視野マスクは撮影レンズ２０１の予定結像面付近に配置されるので、図６は予定結像面と考えても問題ない。図において、視野マスク２１０よりひと回り大きな点線で示す長方形３００は撮影レンズ２０１による撮影範囲で、視野マスク開口部２１０ａ内には、十字形で示される受光素子列の逆投影像３０１ａｖ１、３０１ａｖ２、３０１ａｈ１、３０１ａｈ２が形成されている。対の受光素子列は予定結像面上では一致するため重ねて表示されている。そして、逆投影像３０１ａｖ１、３０１ａｖ２、３０１ａｈ１、３０１ａｈ２は受光素子列であるため、この領域において被写体の光量分布を検出することができる。すなわち、これら逆投影像がいわゆるクロス型の焦点検出領域となる。本実施例では焦点検出領域が図６のように撮影範囲３００内にの縦に３点、横に３点の計９点の交点を持つように配置されている。これらの交点を撮影者が使用する測距位置として使用することにより、９点のクロス型焦点検出領域を備えた焦点検出装置となり、この焦点検出領域にかかる被写体の焦点検出を行うことができる。そして、クロス型の焦点検出領域は、その広がり方向が直交する２方向であるため、被写体のコントラスト成分方向に左右されず、ほとんどの被写体での焦点検出を可能とする。
【００３２】
次に、図７を用いて、本発明の焦点検出装置の迷光が焦点検出結果に与える影響を軽減する構成について説明する。
【００３３】
図７は、本発明の焦点検出装置２０８の側面図で、図２のＸ軸方向から観察した場合の赤外カットフィルタ２１２から受光素子２１６までを示している。図２と同じ構成に関しては、同じ添え字を付して示している。
【００３４】
図７に示すように、本発明では、赤外カットフィルタ２１２が受光素子２１６に対して、Ｘ軸、Ｙ軸に関して傾いている。赤外カットフィルタ２１２を、傾けたことにより得られる効用について説明する。矢印４０１は、視野マスクの開口２１０ａを通過した光束で、焦点検出に用いる光束で、光学像２１７ａｖ２を形成する光束の代表的な光線を、光の進行方向と合わせて示している。矢印４０１の光線は、光学像２１７ａｖ２の略中央に到達する光線の経路を示しており、図７中の座標軸でベクトル成分を表記すると、Ｘ軸成分を持たない。上述した通り、受光素子２１６上の受光素子群２１６ａｖ２の表面では、一定量の光が反射し、矢印４０２の方向に進む。受光素子２１６の表面の法線ベクトルもＸ軸成分を持たないため、矢印４０２のベクトル成分もＸ軸成分を持たない。
【００３５】
光線は、再度、２次結像レンズユニット２１４、絞り２１３を通過し、赤外カットフィルタ２１２の表面で、光束の一部が反射する。赤外カットフィルタ２１２の表面は、受光素子２１６に対してＹ軸中心に回転しているため、赤外カットフィルタ２１２の表面の反射光は、図７中の座標軸でＸ軸方向のベクトル成分をもつ。矢印４０３は、赤外カットフィルタ２１２の表面の反射光の方向を示し、再度受光素子２１６に迷光として到達することを示す。矢印４０３の光線の到達位置は、矢印４０１の光線の到達位置に対して、Ｘ軸方向にもＹ軸方向にもずれた位置に到達する。矢印４０３の迷光の受光素子２１６上の到達位置のＸ軸方向のずれ量は、赤外カットフィルタの傾き角度により制御することができる。本発明では、赤外カットフィルタ２１２を２軸に傾けることにより、受光素子２１６上で、反射率が比較的高い受光素子群２１６ａの表面で反射され発生する迷光が、赤外カットフィルタ２１２で反射し再度受光素子上に到達した際に、受光素子群以外の箇所に到達させる。これにより、迷光による焦点検出結果への影響を軽減させる。
【００３６】
図８には、受光素子群の反射により発生した迷光が、再度受光素子に到達する位置を示している。図８は、図５（Ｂ）に重ね合わせて書かれており、同じ構成については、同じ添え字を用いている。
【００３７】
迷光領域４０４ａｖ１−１、４０４ａｖ１−２、４０４ａｖ１−３は、それぞれ受光素子列２１６ａｖ１−１、２１６ａｖ１−２、２１６ａｖ１−３の表面で反射し発生した迷光が、赤外カットフィルタ２１２に反射して、再度受光素子２１６上に到達する範囲を示している。上述した通り赤外カットフィルタ２１２が２軸に傾けられているため、図８中で、Ｘ軸正方向、Ｙ軸負方向に、迷光の到達位置は、受光素子列位置に対してずれている。受光素子列２１６ａｖ１−１、２１６ａｖ１−２で発生した迷光は、迷光領域４０４ａｖ１−１、４０４ａｖ１−２の範囲に到達する。このことは同時に、受光素子列２１６ａｖ１−１、２１６ａｖ１−２の間のカラーフィルタ部２１８で発生する迷光は、迷光領域４０４ａｖ１−１、４０４ａｖ１−２の間、すなわち受光素子列２１６ａｖ１−２近傍に到達することを意味する。図５（Ｂ）で説明した通り、本発明の受光素子２１６の表面は、受光素子群以外の領域にカラーフィルタが施されており、受光素子群の表面より低反射率の特性を有している。そのため、上述のように高反射率である受光素子列で発生した迷光が、受光素子に到達することなく、低反射率であるカラーフィルタ部２１８で発生した迷光が受光素子列に到達するように構成することにより、迷光の焦点検出への影響を軽減することができる。受光素子群２１６ａｖ２で発生する迷光についても同様である。
【００３８】
また、対の光学素子列群２１６ａｈ１、２１６ａｈ２についても同様に、迷光領域４０４ａｈ１−１〜４０４ａｈ１−３、４０４ａｈ２−１〜４０４ａｈ２−３が、受光素子列の範囲外となるように赤外カットフィルタ２１２のＸ軸中心に傾けることにより、迷光の焦点検出への影響を軽減することができる。
【００３９】
上述した通り、受光素子列群以外の領域にカラーフィルタを施し、低反射率の特性を持たせ、赤外カットフィルタ２１２の傾きを設定することにより、比較的高反射率の受光素子列上で発生する迷光が、再び受光素子に到達することを回避することができる。それにより、迷光による焦点検出誤差を軽減することができ、高精度な焦点検出を実現することができる。
【００４０】
また、本実施例では、赤外カットフィルタ２１２を２軸に傾けることにより、垂直方向に対の受光素子列群２１６ａｖ１、２１６ａｖ２で発生する迷光も、水平方向の対の受光素子列群２１６ａｈ１、２１６ａｈ２で発生する迷光も、同時にその影響を軽減することができる。
【００４１】
従来より、赤外カットフィルタ２１２を傾けることにより、受光素子上で反射し発生する迷光を対策する方法が開示されていた。しかし、迷光領域（例えば、４０４ａｖ１−１〜３）の全域を、受光素子列群（例えば、２１６ａｖ１）の範囲外に到達するように構成していたため、赤外カットフィルタ２１２を大きく傾ける必要があった。また、本実施例のように、垂直方向、水平方向の両方の焦点検出領域を持つ焦点検出装置では、迷光領域を、受光素子列の領域から大きくずれるように赤外カットフィルタ２１２の傾きを設定すると、他の受光素子列に迷光領域が重なる恐れがある。例えば、受光素子列群２１６ａｖ１で発生した迷光が、図８中で大きくＸ軸方向にずれて、再度受光素子２１６上に到達すると、受光素子列群２１６ａｈ１に到達してしまい、水平方向の焦点検出領域の焦点検出結果に影響を与えてしまう。本発明では、受光素子２１６上に高反射率部と低反射率部を設けているため、赤外カットフィルタ２１２をより小さい傾き角度で配置することにより、迷光の影響を回避することができる。
【００４２】
また、本実施例では、例えば受光素子列２１６ａｖ１−１で発生した迷光が、受光素子列２１６ａｖ１−１と受光素子列２１６ａｖ１−２の間に到達するように構成されている。このように、受光素子列領域と、そこで発生する迷光の到達領域を概ね隣接させることにより、赤外カットフィルタ２１２の傾き角度を、最小にすることができ、焦点検出装置内で、大きなスペースを必要とすることなく、赤外カットフィルタ２１２を配置することができる。
【００４３】
また、上述の説明では、受光素子２１６で反射し発生した迷光は、赤外カットフィルタ２１２の傾きにより、再度受光素子２１６に到達する光束の範囲を制御するものとしたが、これに限らない。２次結像レンズユニット２１３をはじめとする他の光学部品も同様に傾きを設定することにより、同様の効果を得ることができる。
【００４４】
以上、本発明の好ましい実施形態について説明したが、本発明はこれらの実施形態に限定されず、その要旨の範囲内で種々の変形及び変更が可能である。
【符号の説明】
【００４５】
２００    一眼レフカメラ本体
２０８    焦点検出装置
２１２    赤外カットフィルタ
２１６    受光素子
２１６ａｖ１、２１６ａｖ２、２１６ａｈ１、２１６ａｈ２    受光素子列群
２１８    カラーフィルタ部
【図１】
2012242416.tif 000003
【図２】
2012242416.tif 000004
【図３】
2012242416.tif 000005
【図４】
2012242416.tif 000006
【図５】
2012242416.tif 000007
【図６】
2012242416.tif 000008
【図７】
2012242416.tif 000009
【図８】
2012242416.tif 000010